(57)【要約】【課題】被固定部材の外観検査を実施するために剥がした保護フィルムを、被固定部材に精度良く貼り戻すことができるパネルを提供する。【解決手段】パネル１は、スクリーン２と、スクリーン２の裏面の周辺部を残すように当該裏面に固定される被固定部材３と、被固定部材３に貼り付けられる第１の保護フィルム４と、第１の保護フィルム４に貼り付けられる第２の保護フィルム５と、を備え、第２の保護フィルム５は、第１の保護フィルム４における被固定部材３に貼り付けられる面と対向する面全域及びスクリーン２の裏面の周辺部に貼り付けられる本体部５ａと、本体部５ａから突出する摘まみ部５ｂと、を有し、第１の保護フィルム４と被固定部材３との接着力は、第１の保護フィルム４と第２の保護フィルム５との接着力に比べて弱い。【選択図】図１
2019148978.tif 000002
【特許請求の範囲】
【請求項１】
スクリーンと、
前記スクリーンの裏面の周辺部を残すように当該裏面に固定される被固定部材と、
前記被固定部材における前記スクリーンに貼り付けられる面と対向する面全域に貼り付けられ、前記被固定部材の外観検査を実施する場合に剥がされる第１の保護フィルムと、
前記第１の保護フィルムにおける前記被固定部材に貼り付けられる面と対向する面全域に貼り付けられ、前記被固定部材の外観検査を実施する場合に一部を残して剥がされる第２の保護フィルムと、
を備え、
前記第２の保護フィルムは、前記第１の保護フィルムにおける前記被固定部材に貼り付けられる面と対向する面全域及び前記スクリーンの裏面の周辺部に貼り付けられる本体部と、前記本体部から突出する摘まみ部と、を有し、
前記第１の保護フィルムと前記被固定部材との接着力は、前記第１の保護フィルムと前記第２の保護フィルムとの接着力に比べて弱い、パネル。
【請求項２】
前記第２の保護フィルムにおける前記スクリーンの裏面の周辺部に貼り付けられる領域の一部は、前記第２の保護フィルムが剥がされる場合に検査員によって押さえられる押さえ部となる、請求項１に記載のパネル。
【請求項３】
前記第１の保護フィルムは、前記第２の保護フィルムの摘まみ部と重なるように当該第２の保護フィルムの摘まみ部に貼り付けられる摘まみ部を備える、請求項１又は２に記載のパネル。
【請求項４】
前記第２の保護フィルムの摘まみ部は、前記スクリーンの周縁から突出している、請求項１乃至３のいずれか１項に記載のパネル。
【請求項５】
前記第１の保護フィルムの摘まみ部は、前記スクリーンの周縁から突出している、請求項３に記載のパネル。
【請求項６】
前記第２の保護フィルムの本体部は、前記第１の保護フィルムより広く、前記第２の保護フィルムの本体部における前記第１の保護フィルムと重ならない領域が前記スクリーンの裏面の周辺部に貼り付けられる、請求項１乃至５のいずれか１項に記載のパネル。
【請求項７】
スクリーンと、
前記スクリーンの裏面の周辺部を残すように当該裏面に固定される被固定部材と、
前記被固定部材における前記スクリーンに貼り付けられる面と対向する面全域及び前記スクリーンの裏面の周辺部に貼り付けられ、前記被固定部材の外観検査を実施する場合に一部を残して剥がされる保護フィルムと、
を備え、
前記保護フィルムは、前記被固定部材の周縁の一部を除く他の周縁に沿うように形成される第１のミシン目と、前記スクリーンの周辺部の側に突出する摘まみ部を形成するために前記第１のミシン目と連続するように形成される第２のミシン目と、を有する、パネル。
【請求項８】
前記保護フィルムにおける前記スクリーンの周辺部の裏面に貼り付けられる領域の一部は、前記保護フィルムが剥がされる場合に検査員によって押さえられる押さえ部となる、請求項７に記載のパネル。
【請求項９】
前記保護フィルムは、前記スクリーンの裏面の周辺部に両面接着部材を介して貼り付けられており、前記両面接着部材は、前記保護フィルムの第２のミシン目で形成される摘まみ部と重ならないように切り欠き部が形成されている、請求項７又は８に記載のパネル。
【請求項１０】
前記保護フィルムは、前記スクリーンの周縁から突出する摘まみ部を備える、請求項７乃至９のいずれか１項に記載のパネル。
【発明の詳細な説明】
【技術分野】
【０００１】
本開示は、パネルに関する。
【背景技術】
【０００２】
一般的には、スクリーンの裏面にタッチセンサなどの被固定部材が固定されたパネルは、当該パネルを機器に搭載する前の状態で、被固定部材におけるスクリーンに固定された面と対向する面に保護フィルムが貼り付けられている。このような保護フィルムは、例えば、スクリーンの表面と直交する方向から見て、被固定部材と略等しい形状とされている。
【０００３】
ちなみに、特許文献１には、タッチパネルの裏面をフィルム部材によってカバー部材の裏面に貼り付けた構成の入力装置が開示されている。
【０００４】
また、特許文献２には、携帯端末に貼り付けられる保護シートが開示されており、当該保護シートは、保護シート本体を携帯端末に貼る際に摘まむ摘まみ部が当該保護シート本体に取り外し可能に設けられている。
【先行技術文献】
【特許文献】
【０００５】
【特許文献１】特開２００８−２５７４９４号公報
【特許文献２】国際公開第２０１６／３５１９６号
【発明の概要】
【発明が解決しようとする課題】
【０００６】
一般的なパネルは、当該パネルを機器に搭載する前に被固定部材におけるスクリーンに固定された面と対向する面への埃の付着や当該面の傷の有無などを確認するために、保護フィルムを剥がして外観検査が実施される。
【０００７】
このとき、被固定部材におけるスクリーンに固定された面と対向する面全域を確認するためには、保護フィルムを被固定部材から完全に剥がす必要がある。そのため、被固定部材の外観検査が終了した後に、再び、被固定部材におけるスクリーンに固定された面と対向する面全域を保護フィルムで覆うように当該保護フィルムを被固定部材に精度良く貼り付けることは難しい。
【０００８】
本明細書に開示される実施形態が達成しようとする目的の１つは、当該課題の解決に寄与するパネルを提供することである。なお、この目的は、本明細書に開示される複数の実施形態が達成しようとする複数の目的の１つに過ぎないことに留意されるべきである。その他の目的又は課題と新規な特徴は、本明細書の記述又は添付図面から明らかにされる。
【課題を解決するための手段】
【０００９】
第１の態様のパネルは、
スクリーンと、
前記スクリーンの裏面の周辺部を残すように当該裏面に固定される被固定部材と、
前記被固定部材における前記スクリーンに貼り付けられる面と対向する面全域に貼り付けられ、前記被固定部材の外観検査を実施する場合に剥がされる第１の保護フィルムと、
前記第１の保護フィルムにおける前記被固定部材に貼り付けられる面と対向する面全域に貼り付けられ、前記被固定部材の外観検査を実施する場合に一部を残して剥がされる第２の保護フィルムと、
を備え、
前記第２の保護フィルムは、前記第１の保護フィルムにおける前記被固定部材に貼り付けられる面と対向する面全域及び前記スクリーンの裏面の周辺部に貼り付けられる本体部と、前記本体部から突出する摘まみ部と、を有し、
前記第１の保護フィルムと前記被固定部材との接着力は、前記第１の保護フィルムと前記第２の保護フィルムとの接着力に比べて弱い。
【００１０】
第２の態様のパネルは、
スクリーンと、
前記スクリーンの裏面の周辺部を残すように当該裏面に固定される被固定部材と、
前記被固定部材における前記スクリーンに貼り付けられる面と対向する面全域及び前記スクリーンの裏面の周辺部に貼り付けられ、前記被固定部材の外観検査を実施する場合に一部を残して剥がされる保護フィルムと、
を備え、
前記保護フィルムは、前記被固定部材の周縁の一部を除く他の周縁に沿うように形成される第１のミシン目と、前記スクリーンの周辺部の側に突出する摘まみ部を形成するために前記第１のミシン目と連続するように形成される第２のミシン目と、を有する。
【発明の効果】
【００１１】
上述の態様によれば、被固定部材の外観検査を実施するために剥がした保護フィルムを、当該被固定部材に精度良く貼り戻すことができるパネルを提供できる。
【図面の簡単な説明】
【００１２】
【図１】実施の形態１のパネルを模式的に示す断面図である。
【図２】実施の形態１のパネルを模式的に示す底面図である。
【図３】実施の形態１のパネルを模式的に示す分解図である。
【図４】実施の形態１のパネルにおける被固定部材の外観検査を実施する際の様子を模式的に示す図である。
【図５】実施の形態２のパネルを模式的に示す底面図である。
【図６】実施の形態２のパネルを模式的に示す分解図である。
【図７】実施の形態２のパネルにおける被固定部材の外観検査を実施する際の様子を模式的に示す図である。
【図８】実施の形態３のパネルを模式的に示す断面図である。
【図９】実施の形態３のパネルを模式的に示す底面図である。
【図１０】実施の形態３のパネルを模式的に示す分解図である。
【図１１】実施の形態３のパネルにおける被固定部材の外観検査を実施する際の様子を模式的に示す図である。
【図１２】実施の形態４のパネルを模式的に示す底面図である。
【図１３】実施の形態４のパネルを模式的に示す分解図である。
【図１４】実施の形態４のパネルで用いられる両面接着部材を模式的に示す底面図である。
【発明を実施するための形態】
【００１３】
以下、本発明を実施するための最良の形態について、添付図面を参照しながら説明する。但し、本発明が以下の実施の形態に限定される訳ではない。また、説明を明確にするため、以下の記載及び図面は、適宜、簡略化されている。
【００１４】
＜実施の形態１＞
先ず、本実施の形態のパネルの構成を説明する。図１は、本実施の形態のパネルを模式的に示す断面図である。図２は、本実施の形態のパネルを模式的に示す底面図である。図３は、本実施の形態のパネルを模式的に示す分解図である。なお、以下の説明では、説明を明確にするために、三次元（ＸＹＺ）座標系を用いて説明する。ここで、Ｚ軸＋側がパネルの表面側であり、Ｚ軸−側がパネルの裏面側である。
【００１５】
パネル１は、機器に搭載される前のパネルである。パネル１は、例えば、タッチパネルであり、携帯端末などの電子機器に搭載される前の状態である。パネル１は、図１及び図３に示すように、スクリーン２、被固定部材３、第１の保護フィルム４及び第２の保護フィルム５を備えている。
【００１６】
スクリーン２は、ガラスやポリカーボネートなどから成る透明な板状部材である。スクリーン２は、例えば、図３に示すように、ユーザが電子機器の表示部に表示される表示内容を視認するための視認部２ａ及び当該視認部２ａを囲むように当該スクリーン２の周辺部に形成された意匠部（例えば、遮光部）２ｂなどを備えている。このようなスクリーン２のＺ軸＋側の面には、スクリーン２を保護するための第３の保護フィルム６が貼り付けられているとよい。
【００１７】
第３の保護フィルム６は、ＰＥＴ樹脂（ポリエチレンテレフタレート）などの膜材であり、第３の保護フィルム６のＺ軸−側の面が粘着面とされている。そして、第３の保護フィルム６は、Ｚ軸方向から見て、スクリーン２と略等しい形状に形成されている。そのため、第３の保護フィルム６は、スクリーン２のＺ軸＋側の面全域を覆っている。
【００１８】
このとき、第３の保護フィルム６は、Ｚ軸方向から見て、スクリーン２から外方に突出する摘まみ部６ａを備えているとよい。これにより、ユーザなどは、摘まみ部６ａを摘まんでスクリーン２から第３の保護フィルム６を簡単に剥がすことができる。
【００１９】
被固定部材３は、スクリーン２のＺ軸−側の面の周辺部を残すように当該スクリーン２のＺ軸−側の面に固定されている。つまり、被固定部材３は、Ｚ軸方向から見て、スクリーン２の視認部２ａの内部に配置されており、スクリーン２の意匠部２ｂで囲まれている。
【００２０】
被固定部材３は、例えば、静電容量式のタッチセンサを備えている。このようなタッチセンサは、電極パターンが配線されたフィルム層などを備えており、ユーザが電子機器の表示部に表示される表示内容をスクリーン２の側から視認できるように透明部材を用いて構成されている。なお、被固定部材３は、抵抗膜式のタッチセンサなどを備えていてもよい。
【００２１】
第１の保護フィルム４は、被固定部材３を保護する。第１の保護フィルム４は、Ｚ軸方向から見て、被固定部材３と略等しい形状に形成されている。第１の保護フィルム４は、例えば、ＰＥＴ樹脂などから成る膜材であり、第１の保護フィルム４のＺ軸＋側の面が粘着面とされている。つまり、第１の保護フィルム４のＺ軸＋側の面に接着剤が塗布されている。
【００２２】
このような第１の保護フィルム４のＺ軸＋側の面は、被固定部材３のＺ軸−側の面に貼り付けられている。これにより、第１の保護フィルム４は、被固定部材３のＺ軸−側の面全域を覆う。
【００２３】
第２の保護フィルム５は、パネル１のＺ軸−側の面を保護する。第２の保護フィルム５は、例えば、ＰＥＴ樹脂などから成る膜材であり、第２の保護フィルム５のＺ軸＋側の面が粘着面とされている。つまり、第２の保護フィルム５のＺ軸＋側の面に接着剤が塗布されている。
【００２４】
このような第２の保護フィルム５は、本体部５ａ及び摘まみ部５ｂを備えている。本体部５ａは、Ｚ軸方向から見て、スクリーン２と略等しい形状に形成されている。本体部５ａのＺ軸＋側の面は、第１の保護フィルム４のＺ軸−側の面及びスクリーン２の意匠部２ｂのＺ軸−側の面に貼り付けられる。これにより、本体部５ａは、スクリーン２のＺ軸−側の面全域を覆う。
【００２５】
このように本体部５ａは、第１の保護フィルム４に比べて広く、本体部５ａにおける第１の保護フィルム４と重ならない領域がスクリーン２の意匠部２ｂのＺ軸−側の面に貼り付けられている。
【００２６】
摘まみ部５ｂは、詳細は後述するが、第２の保護フィルム５を剥がす際に検査員などによって摘ままれる。摘まみ部５ｂは、図２に示すように、Ｚ軸方向から見て、本体部５ａから外方に突出している。摘まみ部５ｂは、例えば、Ｚ軸方向から見て、スクリーン２から突出しており、本体部５ａにおけるＸ軸＋側であって、且つＹ軸＋側の角部近傍に配置されている。但し、摘まみ部５ｂの配置は、特に限定されない。
【００２７】
このような第１の保護フィルム４と被固定部材３との接着力は、第１の保護フィルム４と第２の保護フィルム５との接着力に比べて弱い。つまり、第１の保護フィルム４のＺ軸＋側の面の粘着力は、第２の保護フィルム５のＺ軸＋側の面の粘着力に比べて弱い。
【００２８】
次に、本実施の形態のパネル１における被固定部材３の外観検査を実施する手順を説明する。図４は、本実施の形態のパネルにおける被固定部材の外観検査を実施する際の様子を模式的に示す図である。
【００２９】
検査員は、例えば、Ｚ軸方向から見て、第２の保護フィルム５の本体部５ａにおけるスクリーン２の意匠部２ｂと重なる領域の一部を一方の手で押さえる。つまり、第２の保護フィルム５の本体部５ａにおけるスクリーン２の意匠部２ｂと重なる領域の一部は、検査員が押さえる押さえ部５ｃ（図２）として機能する。このとき、検査員は、第２の保護フィルム５における摘まみ部５ｂが配置された角部と対角の角部近傍を押さえるとよい。ここで、図２では、押さえ部５ｃを一点鎖線で示している。
【００３０】
次に、検査員は、一方の手で第２の保護フィルム５の押さえ部５ｃを押さえつつ、他方の手で第２の保護フィルム５の摘まみ部５ｂを摘まんで当該押さえ部５ｃの側に引き込み、図４に示すように、第２の保護フィルム５をスクリーン２の意匠部２ｂのＺ軸−側の面から剥がす。
【００３１】
上述のように、第１の保護フィルム４と被固定部材３との接着力は、第１の保護フィルム４と第２の保護フィルム５との接着力に比べて弱い。そのため、第１の保護フィルム４は、被固定部材３に残ることなく、第２の保護フィルム５に貼り付いた状態で被固定部材３から剥がれる。
【００３２】
このとき、第２の保護フィルム５の押さえ部５ｃは、第２の保護フィルム５における摘まみ部５ｂが配置された角部と対角の角部近傍であるので、簡単に第２の保護フィルム５を剥がすことができる。
【００３３】
そして、検査員は、一方の手で第２の保護フィルム５の押さえ部５ｃを押さえつつ、さらに他方の手で第２の保護フィルム５を引き込むと、第１の保護フィルム４を被固定部材３のＺ軸−側の面から完全に剥がすことができる。これにより、検査員は、被固定部材３のＺ軸−側の面全域の外観検査を実施することができる。
【００３４】
このとき、第１の保護フィルム４は、第２の保護フィルム５に貼り付いた状態に維持される。つまり、第２の保護フィルム５に対する第１の保護フィルム４の位置関係は固定されている。
【００３５】
また、第２の保護フィルム５の押さえ部５ｃ周辺は、スクリーン２の意匠部２ｂのＺ軸−側の面に貼り付けられた状態で固定されている。そのため、第２の保護フィルム５は、Ｚ軸回りに回転したり、ＸＹ平面上で位置ズレしたり、していない。ここで、検査員は、被固定部材３のＺ軸−側の面全域の外観検査を実施している途中も、一方の手で第２の保護フィルム５の押さえ部５ｃを押さえているとよい。
【００３６】
検査員は、被固定部材３のＺ軸−側の面全域の外観検査が終了すると、一方の手で第２の保護フィルム５の押さえ部５ｃを押さえつつ、再び他方の手で第２の保護フィルム５の摘まみ部５ｂを摘まむ。そして、検査員は、第２の保護フィルム５がスクリーン２の意匠部２ｂのＺ軸−側の面に貼り戻されるように当該摘まみ部５ｂを引き込む。
【００３７】
このとき、上述のように、第２の保護フィルム５は、Ｚ軸回りに回転したり、ＸＹ平面上で位置ズレしたり、していない。そのため、第２の保護フィルム５が再びスクリーン２の意匠部２ｂのＺ軸−側の面に貼り付けられるように、検査員が摘まみ部５ｂを引き込むと、被固定部材３のＺ軸−側の面全域を第１の保護フィルム４で覆うように、第１の保護フィルム４を被固定部材３に精度良く貼り戻すことができる。
【００３８】
このように本実施の形態のパネル１では、第１の保護フィルム４と被固定部材３との接着力が第１の保護フィルム４と第２の保護フィルム５との接着力に比べて弱い。しかも、本実施の形態のパネル１では、第２の保護フィルム５を剥がす際に、検査員は第２の保護フィルム５におけるスクリーン２のＺ軸−側の面の周辺部に貼り付けられた領域を押えることができる。
【００３９】
このような構成により、検査員が第２の保護フィルム５を剥がす際に、第２の保護フィルム５の一部をスクリーン２の周辺部に固定しつつ、第２の保護フィルム５と共に第１の保護フィルム４を被固定部材３から剥がすことができる。
【００４０】
そのため、被固定部材３の外観検査が終了して、検査員が第２の保護フィルム５をスクリーン２の周辺部に貼り戻すと、被固定部材３のＺ軸−側の面全域を第１の保護フィルム４で覆うように、第１の保護フィルム４を被固定部材３に精度良く貼り戻すことができる。
【００４１】
しかも、第２の保護フィルム５の摘まみ部５ｂをスクリーン２から突出させていると、検査員は容易に摘まみ部５ｂを摘むことができる。
【００４２】
ここで、第２の保護フィルム５の本体部５ａは、図１に示すように、両面接着部材７及び第４の保護フィルム８を介してスクリーン２の意匠部２ｂのＺ軸−側の面に貼り付けられてもよい。
【００４３】
両面接着部材７は、パネル１を機器に搭載する際に用いられ、例えば、電子機器の筐体にパネル１を固定する際に用いられる。両面接着部材７は、スクリーン２の意匠部２ｂと対応する環形状を基本形態としている。
【００４４】
このような両面接着部材７のＺ軸＋側の面は、スクリーン２の意匠部２ｂのＺ軸−側の面に貼り付けられており、両面接着部材７の内部に被固定部材３が配置されている。このとき、両面接着部材７は、Ｚ軸＋側から見て、スクリーン２の意匠部２ｂによって視認されないように配置される。
【００４５】
なお、例えば、被固定部材３がタッチセンサを備えている場合、両面接着部材７は、タッチセンサの配線を通すための分断部７ａを備えているとよい。これにより、タッチセンサの側方から配線を取り出すことができる。
【００４６】
第４の保護フィルム８は、両面接着部材７のＺ軸−側の面に貼り付けられており、両面接着部材７のＺ軸−側の面全域を覆っている。第４の保護フィルム８は、ＰＥＴ樹脂などから成る膜材である。第４の保護フィルム８は、スクリーン２の意匠部２ｂと対応する環形状を基本形態としている。
【００４７】
このような第４の保護フィルム８のＺ軸−側の面には、第２の保護フィルム５の本体部５ａのＺ軸＋側の面が貼り付けられている。そして、第４の保護フィルム８の内部には、被固定部材３が配置されている。つまり、パネル１の内部に埃などが侵入しないように、第２の保護フィルム５によってパネル１のＺ軸−側が塞がれる。
【００４８】
なお、例えば、被固定部材３がタッチセンサを備えている場合、第４の保護フィルム８は、タッチセンサの配線を通すための分断部８ａを備えているとよい。これにより、タッチパネルの側方から配線を取り出すことができる。
【００４９】
また、第４の保護フィルム８は、Ｚ軸方向から見て、スクリーン２の周縁から突出する摘まみ部８ｂを備えているとよい。これにより、作業者などがパネル１を機器に搭載する際に、第４の保護フィルム８を簡単に剥がすことができる。
【００５０】
＜実施の形態２＞
図５は、本実施の形態のパネルを模式的に示す底面図である。図６は、本実施の形態のパネルを模式的に示す分解図である。図７は、本実施の形態のパネルにおける被固定部材の外観検査を実施する際の様子を模式的に示す図である。なお、本実施の形態のパネルは、実施の形態１のパネル１と略等しい構成とされているため、重複する説明は省略し、等しい部材には等しい符号を用いて説明する。
【００５１】
本実施の形態のパネル２１は、図５及び図６に示すように、実施の形態１のパネル１に対して、第１の保護フィルム２２の構成が異なる。第１の保護フィルム２２は、Ｚ軸方向から見て、第２の保護フィルム５の摘まみ部５ｂと重なるように当該摘まみ部５ｂに貼り付けられる摘まみ部２２ａを備えている。
【００５２】
このようなパネル２１において、被固定部材３の外観検査を実施する際には、検査員は、第１の保護フィルム２２の摘まみ部２２ａ及び第２の保護フィルム５の摘まみ部５ｂを摘んで、図７に示すように、第２の保護フィルム５を剥がすと共に、第１の保護フィルム２２を被固定部材３から確実に剥がすことができる。
【００５３】
しかも、第２の保護フィルム５を剥がす際に、第２の保護フィルム５から第１の保護フィルム２２が剥がれて被固定部材３に貼り残されても、第１の保護フィルム２２を簡単に被固定部材３から剥がすことができる。
【００５４】
また、パネル２１を機器に搭載する際には、第２の保護フィルム５と共に第１の保護フィルム２２を剥がすことができ、機器の組立作業の負担軽減に寄与できる。
【００５５】
ここで、摘まみ部２２ａは、第２の保護フィルム５の摘まみ部５ｂと共に、Ｚ軸方向から見て、スクリーン２の周縁から突出しているとよい。これにより、検査員が第２の保護フィルム５を剥がす際に、第１の保護フィルム２２の摘まみ部２２ａ及び第２の保護フィルム５の摘まみ部５ｂを簡単に摘むことができる。
【００５６】
＜実施の形態３＞
図８は、本実施の形態のパネルを模式的に示す断面図である。図９は、本実施の形態のパネルを模式的に示す底面図である。図１０は、本実施の形態のパネルを模式的に示す分解図である。図１１は、本実施の形態のパネルにおける被固定部材の外観検査を実施する際の様子を模式的に示す図である。なお、本実施の形態のパネルは、実施の形態１のパネル１と略等しい構成とされているため、重複する説明は省略し、等しい部材には等しい符号を用いて説明する。
【００５７】
本実施の形態のパネル３１は、図８及び図９に示すように、実施の形態１の第１の保護フィルム４及び第２の保護フィルム５に代わって、保護フィルム３２を備えている。保護フィルム３２は、Ｚ軸方向から見て、スクリーン２と略等しい形状とされており、Ｚ軸＋側の面が粘着面とされている。そして、保護フィルム３２のＺ軸＋側の面は、被固定部材３のＺ軸−側の面及びスクリーン２の意匠部２ｂのＺ軸−側の面に貼り付けられている。
【００５８】
保護フィルム３２は、第１のミシン目３２ａ及び第２のミシン目３２ｂを備えている。第１のミシン目３２ａは、被固定部材３の周縁の一部を除く他の周縁に沿うように形成されている。ここで、第１のミシン目３２ａは、一部が間隔を開けて分断されている。
【００５９】
例えば、Ｚ軸方向から見て、被固定部材３が矩形状の場合、第１のミシン目３２ａは、被固定部材３の一辺を除く他の三辺に沿って形成されており、当該被固定部材３の三辺のうち一辺に沿って形成された部分が間隔を開けて分断されている。
【００６０】
具体的には、第１のミシン目３２ａは、被固定部材３のＸ軸−側の辺を除く、被固定部材３のＹ軸＋側の辺、被固定部材３のＹ軸−側の辺及び被固定部材３のＸ軸＋側の辺に沿うように形成されており、被固定部材３のＸ軸＋側の辺に沿って形成された部分が間隔を開けて分断されている。但し、第１のミシン目３２ａが形成されない被固定部材３の一辺は、適宜、変更することができる。
【００６１】
第２のミシン目３２ｂは、スクリーン２の意匠部２ｂの側に突出する第１の摘まみ部３２ｃを形成するために第１のミシン目３２ａの各々の分断部と連続するように形成されている。そのため、第１のミシン目３２ａの分断部の間隔は、第１の摘まみ部３２ｃの幅寸法であり、適宜、変更することができる。
【００６２】
例えば、Ｚ軸方向から見て、被固定部材３が矩形状の場合、第２のミシン目３２ｂは、第１のミシン目３２ａにおける被固定部材３の一辺に沿って形成された部分の分断部からスクリーン２の意匠部２ｂの側に突出するように形成されている。
【００６３】
具体的には、Ｘ軸＋側に突出する矩形状の第１の摘まみ部３２ｃを形成するべく、第２のミシン目３２ｂは、第１のミシン目３２ａにおける被固定部材３のＸ軸＋側の辺に沿って形成された部分の分断部からＸ軸＋側に突出するように形成されている。但し、第２のミシン目３２ｂは、第１の摘まみ部３２ｃの配置や形状に応じて、適宜、変更することができる。
【００６４】
このようなパネル３１において、被固定部材３の外観検査を実施する際には、検査員は、保護フィルム３２を第２のミシン目３２ｂに沿って切断して第１の摘まみ部３２ｃを形成する。そして、検査員は、一方の手で保護フィルム３２におけるスクリーン２の意匠部２ｂのＺ軸−側の面に貼り付けられた領域の一部を押えつつ、他方の手で第１の摘まみ部３２ｃを摘んで引き込み、保護フィルム３２を第１のミシン目３２ａに沿って切断し、図１１に示すように、保護フィルム３２における被固定部材３に貼り付けられた部分を第１のミシン目３２ａが形成されていない側に向かって剥がす。これにより、被固定部材３のＺ軸−側の面が露出し、検査員は被固定部材３のＺ軸−側の面の外観検査を実施することができる。
【００６５】
被固定部材３のＺ軸−側の面の外観検査が終了すると、検査員は、第１のミシン目３２ａ及び第２のミシン目３２ｂの内部に保護フィルム３２の剥がされた部分を収めるように、当該保護フィルム３２の剥がされた部分を被固定部材３のＺ軸−側の面及びスクリーン２の意匠部２ｂのＺ軸−側の面に貼り戻す。ここで、第１のミシン目３２ａは、被固定部材３の一部を除いて形成されているので、保護フィルム３２の剥がされた部分は、保護フィルム３２の他の部分と接続された状態である。そのため、保護フィルム３２の剥がされた部分は、被固定部材３のＺ軸−側の面及びスクリーン２の意匠部２ｂのＺ軸−側の面に精度良く貼り戻すことができる。
【００６６】
ここで、保護フィルム３２は、両面接着部材７を介してスクリーン２の意匠部２ｂのＺ軸−側の面に貼り付けてもよい。この場合、保護フィルム３２は、両面接着部材７の保護フィルムとしても機能し、パネル３１のＺ軸−側を塞ぐ。
【００６７】
また、保護フィルム３２は、Ｚ軸方向から見て、スクリーン２の周縁から突出する第２の摘まみ部３２ｄを備えているとよい。これにより、作業者などがパネル３１を機器に搭載する際に、保護フィルム３２を簡単に剥がすことができる。
【００６８】
＜実施の形態４＞
図１２は、本実施の形態のパネルを模式的に示す底面図である。図１３は、本実施の形態のパネルを模式的に示す分解図である。図１４は、本実施の形態のパネルで用いられる両面接着部材を模式的に示す底面図である。
【００６９】
上述のように、保護フィルム３２が両面接着部材７を介してスクリーン２の意匠部２ｂのＺ軸−側の面に貼り付けられる場合、保護フィルム３２のＺ軸＋側の粘着面と両面接着部材７のＺ軸−側の粘着面とが貼り合わされることになる。そのため、検査員が保護フィルム３２の摘まみ部３２ｃを摘む際に、両面接着部材７との接着力によって当該摘まみ部３２ｃを両面接着部材７から良好に剥がすことが難しい。
【００７０】
そこで、本実施の形態の両面接着部材７は、図１２乃至図１４に示すように、Ｚ軸方向から見て、保護フィルム３２の摘まみ部３２ｃと重ならないように切り欠き部７ｂが形成されている。そのため、保護フィルム３２の摘まみ部３２ｃは、Ｚ軸方向から見て、両面接着部材７が配置された領域と重ならないように配置されており、両面接着部材７の切り欠き部７ｂの内部に配置されている。
【００７１】
このような構成により、検査員が保護フィルム３２の摘まみ部３２ｃを摘む際に、両面接着部材７の粘着力に影響されずに、当該摘まみ部３２ｃを簡単に摘むことができる。
【００７２】
上述した実施形態は本件発明者により得られた技術思想の適用に関する例に過ぎない。すなわち、当該技術思想は、上述した実施形態のみに限定されるものではなく、種々の変更が可能であることは勿論である。
【００７３】
例えば、被固定部材は、透明な板状部材でもよく、又は、タッチセンサ及び表示部を備えた表示装置でもよく、用途に合わせて適宜、変更される。
【００７４】
また、上記の実施形態の一部又は全部は、以下の付記のようにも記載されうるが、以下には限られない。
【００７５】
（付記１）
スクリーンと、
前記スクリーンの裏面の周辺部を残すように当該裏面に固定される被固定部材と、
前記被固定部材における前記スクリーンに貼り付けられる面と対向する面全域に貼り付けられ、前記被固定部材の外観検査を実施する場合に剥がされる第１の保護フィルムと、
前記第１の保護フィルムにおける前記被固定部材に貼り付けられる面と対向する面全域に貼り付けられ、前記被固定部材の外観検査を実施する場合に一部を残して剥がされる第２の保護フィルムと、
を備え、
前記第２の保護フィルムは、前記第１の保護フィルムにおける前記被固定部材に貼り付けられる面と対向する面全域及び前記スクリーンの裏面の周辺部に貼り付けられる本体部と、前記本体部から突出する摘まみ部と、を有し、
前記第１の保護フィルムと前記被固定部材との接着力は、前記第１の保護フィルムと前記第２の保護フィルムとの接着力に比べて弱い、パネル。
【００７６】
（付記２）
前記第２の保護フィルムにおける前記スクリーンの裏面の周辺部に貼り付けられる領域の一部は、前記第２の保護フィルムが剥がされる場合に検査員によって押さえられる押さえ部となる、付記１に記載のパネル。
【００７７】
（付記３）
前記第１の保護フィルムは、前記第２の保護フィルムの摘まみ部と重なるように当該第２の保護フィルムの摘まみ部に貼り付けられる摘まみ部を備える、付記１又は２に記載のパネル。
【００７８】
（付記４）
前記第２の保護フィルムの摘まみ部は、前記スクリーンの周縁から突出している、付記１乃至３のいずれか１に記載のパネル。
【００７９】
（付記５）
前記第１の保護フィルムの摘まみ部は、前記スクリーンの周縁から突出している、付記３に記載のパネル。
【００８０】
（付記６）
前記第２の保護フィルムの本体部は、前記第１の保護フィルムより広く、前記第２の保護フィルムの本体部における前記第１の保護フィルムと重ならない領域が前記スクリーンの裏面の周辺部に貼り付けられる、付記１乃至５のいずれか１に記載のパネル。
【００８１】
（付記７）
前記被固定部材は、タッチセンサを備えている、付記１乃至６のいずれか１に記載のパネル。
【００８２】
（付記８）
スクリーンと、
前記スクリーンの裏面の周辺部を残すように当該裏面に固定される被固定部材と、
前記被固定部材における前記スクリーンに貼り付けられる面と対向する面全域及び前記スクリーンの裏面の周辺部に貼り付けられ、前記被固定部材の外観検査を実施する場合に一部を残して剥がされる保護フィルムと、
を備え、
前記保護フィルムは、前記被固定部材の周縁の一部を除く他の周縁に沿うように形成される第１のミシン目と、前記スクリーンの周辺部の側に突出する摘まみ部を形成するために前記第１のミシン目と連続するように形成される第２のミシン目と、を有する、パネル。
【００８３】
（付記９）
前記保護フィルムにおける前記スクリーンの周辺部の裏面に貼り付けられる領域の一部は、前記保護フィルムが剥がされる場合に検査員によって押さえられる押さえ部となる、付記８に記載のパネル。
【００８４】
（付記１０）
前記保護フィルムは、前記スクリーンの裏面の周辺部に両面接着部材を介して貼り付けられており、前記両面接着部材は、前記保護フィルムの第２のミシン目で形成される摘まみ部と重ならないように切り欠き部が形成されている、付記８又は９に記載のパネル。
【００８５】
（付記１１）
前記保護フィルムは、前記スクリーンの周縁から突出する摘まみ部を備える、付記８乃至１０のいずれか１に記載のパネル。
【００８６】
（付記１２）
前記被固定部材は、前記スクリーンの表面と直交する方向から見て、矩形状であり、
前記第１のミシン目は、前記被固定部材の一辺を除く他の三辺に沿うように形成され、
前記第２のミシン目は、前記スクリーンの表面と直交する方向から見て、前記一辺と対向する辺から前記スクリーンの周辺部の側に突出するように形成されている、付記８乃至１１のいずれか１に記載のパネル。
【００８７】
（付記１３）
前記被固定部材は、タッチセンサを備えている、付記８乃至１２のいずれか１に記載のパネル。
【符号の説明】
【００８８】
１  パネル
２  スクリーン、２ａ  視認部、２ｂ  意匠部
３  被固定部材
４  第１の保護フィルム
５  第２の保護フィルム、５ａ  本体部、５ｂ  摘まみ部、５ｃ  押さえ部
６  第３の保護フィルム、６ａ  摘まみ部
７  両面接着部材、７ａ  分断部、７ｂ  切り欠き部
８    第４の保護フィルム、８ａ  分断部、８ｂ  摘まみ部
２１  パネル
２２  第１の保護フィルム、２２ａ  摘まみ部
３１  パネル
３２  保護フィルム、３２ａ  第１のミシン目、３２ｂ  第２のミシン目、３２ｃ  第１の摘まみ部、３２ｄ  第２の摘まみ部
【図１】
2019148978.tif 000003
【図２】
2019148978.tif 000004
【図３】
2019148978.tif 000005
【図４】
2019148978.tif 000006
【図５】
2019148978.tif 000007
【図６】
2019148978.tif 000008
【図７】
2019148978.tif 000009
【図８】
2019148978.tif 000010
【図９】
2019148978.tif 000011
【図１０】
2019148978.tif 000012
【図１１】
2019148978.tif 000013
【図１２】
2019148978.tif 000014
【図１３】
2019148978.tif 000015
【図１４】
2019148978.tif 000016